(57)【要約】      （修正有）【課題】人件費がかからず、入力ミス等が発生する可能性がない決済システムを提供する。【解決手段】決済システム１は、各店舗が提供するサービスまたは販売する商品に関するサービス等情報２１１が格納されたサービス等データベース２１とサービス等データベースから顧客がいる店舗のサービス等情報２１１を抽出するサービス等情報抽出手段２２とを有するサービス等情報サーバ２０と、各店舗内にある店舗内端末３０と、決済機能を有する決済手段４０とがネットワーク５０を介して接続される。【選択図】図１
2019003634.tif 000002
【特許請求の範囲】
【請求項１】
顧客に所持される携帯端末と、
各店舗が提供するサービスまたは販売する商品に関するサービス等情報が格納されたサービス等データベースと当該サービス等データベースから前記顧客がいる店舗のサービス等データを抽出するサービス等情報抽出手段とを有するサービス等情報サーバと、
各店舗内にある店舗内端末と、
決済機能を有する決済手段と、
がネットワークを介して接続された決済システムであって、
前記携帯端末は、前記顧客が受けたサービスまたは購入した商品に関する顧客履歴情報を有し、
前記顧客がいる店舗を特定できる店舗データを前記サービス等情報サーバに送信し、
前記サービス等情報サーバから送信されたサービス等情報を表示すると共に、当該サービス等情報のうち、前記顧客が指定した特定サービス等情報を前記店舗内端末に送信し、
前記店舗内端末から送信された、前記顧客への前記特定サービス等情報に対応するサービスの提供または商品の譲渡が完了したことを示す完了データに基づき、前記特定サービス等情報を前記決済サーバに送信すると共に、前記特定サービス等情報を前記顧客履歴情報に追加し、
前記サービス等情報サーバは、前記携帯端末から送信された店舗データに基づき、当該店舗データに対応する店舗のサービス等情報を前記サービス等データベースから抽出して、前記携帯端末に送信し、
前記店舗情報端末は、前記携帯端末から送信された特定サービス等情報を表示すると共に、前記店舗の従業員または前記顧客により入力された前記完了データを前記携帯端末に送信し、
前記決済手段は、前記携帯端末から送信された特定サービス等情報に基づいて決済を行う、
ことを特徴とする決済システム。
【請求項２】
顧客に所持される携帯端末と、
各店舗が提供するサービスまたは販売する商品に関するサービス等情報が格納されたサービス等データベースと当該サービス等データベースから前記顧客がいる店舗のサービス等データを抽出するサービス等情報抽出手段とを有するサービス等情報サーバと、
各店舗内にある店舗内端末と、
決済機能を有する決済手段と、
がネットワークを介して接続された決済システムであって、
前記携帯端末は、前記顧客がいる店舗を特定できる店舗データを前記サービス等情報サーバに送信し、
前記サービス等情報サーバから送信されたサービス等情報を表示すると共に、当該サービス等情報のうち、前記顧客が指定した特定サービス等情報を前記店舗内端末に送信し、
前記店舗内端末から送信された、前記顧客への前記特定サービス等情報に対応するサービスの提供または商品の譲渡が完了したことを示す完了データに基づき、前記特定サービス等情報を前記決済サーバおよび前記サービス等情報サーバに送信し、
前記サービス等情報サーバは、前記顧客が受けたサービスまたは購入した商品に関する顧客履歴情報を有し、
前記携帯端末から送信された店舗データに基づき、当該店舗データに対応する店舗のサービス等情報を前記サービス等データベースから抽出して、前記携帯端末に送信し、
前記携帯端末から送信された前記特定サービス等情報を当該顧客履歴情報に追加し、
前記店舗情報端末は、前記携帯端末から送信された特定サービス等情報を表示すると共に、前記店舗の従業員または前記顧客により入力された前記完了データを前記携帯端末に送信し、
前記決済手段は、前記携帯端末から送信された特定サービス等情報に基づいて決済を行う、
ことを特徴とする決済システム。
【請求項３】
顧客に所持される携帯端末と、
各店舗が提供するサービスまたは販売する商品に関するサービス等情報が格納されたサービス等データベースと当該サービス等データベースから前記顧客がいる店舗のサービス等データを抽出するサービス等情報抽出手段とを有するサービス等情報サーバと、
各店舗内にある店舗内端末と、
決済機能を有する決済手段と、
がネットワークを介して接続された決済システムであって、
前記携帯端末は、前記顧客がいる店舗を特定できる店舗データを前記サービス等情報サーバに送信し、
前記サービス等情報サーバから送信されたサービス等情報を表示すると共に、当該サービス等情報のうち、前記顧客が指定した特定サービス等情報を前記店舗内端末に送信し、
前記店舗内端末から送信された、前記顧客への前記特定サービス等情報に対応するサービスの提供または商品の譲渡が完了したことを示す完了データに基づき、前記特定サービス等情報を前記決済サーバに送信し、
前記サービス等情報サーバは、
前記携帯端末から送信された店舗データに基づき、当該店舗データに対応する店舗のサービス等情報を前記サービス等データベースから抽出して、前記携帯端末に送信し、
前記店舗情報端末は、前記携帯端末から送信された特定サービス等情報を表示すると共に、前記店舗の従業員または前記顧客により入力された前記完了データを前記携帯端末に送信し、
前記決済手段は、前記顧客が受けたサービスまたは購入した商品に関する顧客履歴情報を有し、
前記携帯端末から送信された特定サービス等情報に基づいて決済を行うと共に、前記特定サービス等情報を前記顧客履歴情報に追加する、
ことを特徴とする決済システム。
【請求項４】
前記携帯端末は、少なくとも前記顧客が使用する言語情報を含む前記顧客の個人情報をさらに有し、
前記言語情報に基づいて、前記携帯端末に表示される前記サービス等情報の表現が変更されることを特徴とする請求項１〜３の何れか１項に記載の決済システム。
【請求項５】
前記サービス等データベースには、店舗に関する店舗情報がさらに格納され、
前記携帯端末は、前記携帯端末の位置情報と、顧客履歴情報に基づいて店舗情報を情報処理する選別手段とをさらに有し、
当該位置情報を前記サービス等情報サーバに送信し、
前記サービス等情報サーバから送信された店舗情報を、前記選別手段を用いて情報処理した後で表示し、
前記サービス等情報サーバは、前記位置情報に基づいて前記サービス等データベースから店舗情報を抽出する店舗抽出手段をさらに有し、
前記店舗抽出手段を用いて、前記携帯端末から送信された前記位置情報に基づいて店舗情報を抽出すると共に、当該店舗情報を前記携帯端末に送信する
ことを特徴とする請求項１〜４の何れか１項に記載の決済システム。
【請求項６】
前記サービス等データベースには、店舗に関する店舗情報がさらに格納され、
前記携帯端末は、前記携帯端末の位置情報をさらに有し、
当該位置情報を前記サービス等情報サーバに送信し、
前記サービス等情報サーバから送信された店舗情報を表示し、
前記サービス等情報サーバは、顧客履歴情報に基づいて店舗情報を情報処理する選別手段と、前記位置情報に基づいて前記サービス等データベースから店舗情報を抽出する店舗抽出手段とをさらに有し、
前記店舗抽出手段を用いて、前記位置情報に基づき、前記サービス等データベースから店舗情報を抽出した後に、前記選別手段を用いて情報処理された店舗情報を前記携帯端末に送信する
ことを特徴とする請求項１〜４の何れか１項に記載の決済システム。
【請求項７】
前記携帯端末は、前記顧客から入力された店舗条件を前記位置情報と共に前記サービス等情報サーバに送信し、
前記店舗抽出手段は、前記位置情報および前記店舗条件に基づいて、前記サービス等データベースから店舗情報を抽出することを特徴とする請求項５または６に記載の決済システム。
【請求項８】
前記携帯端末は、入力された店舗に関するリクエスト情報および前記携帯端末に入力されたメッセージ情報を前記サービス等情報サーバに送信すると共に、前記店舗内端末に入力されたメッセージ情報を表示し、
前記サービス等情報サーバは、前記リクエスト情報を前記各店舗内端末に送信するリクエスト送信手段と、
前記リクエスト情報に対してメッセージ情報を送信した店舗内端末と、前記携帯端末との間で、メッセージ情報の送受信を行うメッセージ交換手段とをさらに有し、
前記店舗内端末は、前記リクエスト情報および前記携帯端末に入力されたメッセージ情報を表示すると共に、入力されたメッセージ情報を前記サービス等情報サーバに送信することを特徴とする請求項１〜４の何れか１項に記載の決済システム。
【請求項９】
前記リクエスト情報は、地域情報を含み、
前記リクエスト送信手段は、前記地域情報に関連する店舗内端末にのみ、前記リクエスト情報を送信することを特徴とする請求項８に記載の決済システム。
【請求項１０】
前記サービス等情報サーバは、各店舗が定めたリクエスト情報通知条件をさらに有し、
前記リクエスト送信手段は、前記リクエスト情報が前記リクエスト情報通知条件を満たす店舗の店舗内端末にのみ、前記リクエスト情報を送信することを特徴とする請求項８に記載の決済システム。
【請求項１１】
前記決済サーバは、前記携帯端末からの特定サービス等情報を受信したにもかかわらず、決済が完了していない場合に、未決済情報を前記携帯端末に送信し、
前記携帯端末は、前記未決済情報を表示することを特徴とする請求項１〜１０の何れか１項に記載の決済システム。
【請求項１２】
前記サービス等情報および前記特定サービス等情報には、店舗内でサービスを提供する場所または店舗内に陳列してある商品の場所に関するサービス等位置情報が含まれ、
前記携帯端末は、前記顧客が特定サービス等情報を指定した後に、当該特定サービス等情報に含まれるサービス等位置情報を表示することを特徴とする請求項１〜１１の何れか１項に記載の決済システム。
【請求項１３】
前記サービス等情報および前記特定サービス等情報には、店舗内でサービスを提供する場所または店舗内のレイアウト情報および店舗内に陳列してある商品の場所に関するサービス等位置情報が含まれ、
前記携帯端末は、前記顧客が特定サービス等情報を指定した後に、前記携帯端末の位置情報、前記サービス等位置情報および前記レイアウト情報に基づき、前記携帯端末の位置から前記サービス等位置情報までの経路を表示することを特徴とする請求項１〜１１の何れか１項に記載の決済システム。
【請求項１４】
前記店舗がレストランであり、
前記サービス等情報が、料理のメニューであることを特徴とする請求項１〜１３の何れか１項に記載の決済システム。
【発明の詳細な説明】
【技術分野】
【０００１】
本発明は、レストランや商店等で用いられる決済システムに関する。
【背景技術】
【０００２】
従来は、サービスの提供を受けた後や、商品と引き換えに、レジ等で現金やクレジットカード等でその代金を決済していた。また、飲食店等の店舗で提供する飲食物のメニューをその店舗に設置された端末に表示し、顧客がその端末を操作して好みのメニューを選択する。そして、店舗を出るときに、レジ等で端末から入力されたメニューの合計額を自動的に算出し、レジ等で現金やクレジットカード等でその代金を決済していた。
【０００３】
この他に、例えば、携帯端末と、店舗に設置された発信機器と、サーバと、売上端末とがネットワークを介して接続され、その発信機から発信された信号を携帯端末が受信した場合に、その店舗のメニューデータをサーバから取得して携帯端末に表示させ、顧客がそのメニューから飲食物を選択（オーダー）すると、注文された飲食物をオーダーし、注文された飲食物に対する決済要求が現金決済であると判断した場合に、売上端末に対して顧客が現金決済するための準備処理の実行を要求し、現金決済する準備ができた旨を携帯端末に表示するメニュー提供決済システムが開示されている（特許文献１参照）。
【先行技術文献】
【特許文献】
【０００４】
【特許文献１】特開２０１７−４９７２１号公報
【発明の概要】
【発明が解決しようとする課題】
【０００５】
しかしながら、従来の決済方法では、レジ操作等を人間が行う必要があり、人件費がかかると共に、入力ミス等が発生する可能性があるという問題点があった。
【０００６】
また、特許文献１のメニュー提供決済システムは、複数の発信機器やサーバを店舗内に設置する必要があり、このメニュー提供決済システムを導入するにはそれらの機器を購入等するためのコストや、それらを維持・管理するためのコストがかかるという問題点があった。
【０００７】
さらに、このメニュー提供決済システムでは、顧客が常時携帯している携帯端末に注文データを入力するようになっているが、それらの有用なデータ（特定の個人が注文したサービスや購入した商品に関するデータ）を活用できていないという問題点があった。例えば、このメニュー提供決済システムでは、発信機からの信号に基づき、顧客が店舗に近づくと広告データを携帯端末に表示するようにしているが、その際に携帯電話を所持している顧客の好みの料理や商品の好み等が反映されることはない。
【課題を解決するための手段】
【０００８】
本発明の発明者は、上述した問題点に関して鋭意研究・開発を続けた結果、以下のような画期的な決済システムを見出した。
【０００９】
上述した課題を解決するための本発明の第１の態様は、顧客に所持される携帯端末と、各店舗が提供するサービスまたは販売する商品に関するサービス等情報が格納されたサービス等データベースとサービス等データベースから顧客がいる店舗のサービス等データを抽出するサービス等情報抽出手段とを有するサービス等情報サーバと、各店舗内にある店舗内端末と、決済機能を有する決済手段と、がネットワークを介して接続された決済システムであって、携帯端末は、顧客が受けたサービスまたは購入した商品に関する顧客履歴情報を有し、顧客がいる店舗を特定できる店舗データをサービス等情報サーバに送信し、サービス等情報サーバから送信されたサービス等情報を表示すると共に、サービス等情報のうち、顧客が指定した特定サービス等情報を店舗内端末に送信し、店舗内端末から送信された、顧客への特定サービス等情報に対応するサービスの提供または商品の譲渡が完了したことを示す完了データに基づき、特定サービス等情報を決済サーバに送信すると共に、特定サービス等情報を顧客履歴情報に追加し、サービス等情報サーバは、携帯端末から送信された店舗データに基づき、店舗データに対応する店舗のサービス等情報をサービス等データベースから抽出して、携帯端末に送信し、店舗情報端末は、携帯端末から送信された特定サービス等情報を表示すると共に、店舗の従業員または顧客により入力された完了データを携帯端末に送信し、決済手段は、携帯端末から送信された特定サービス等情報に基づいて決済を行う、ことを特徴とする決済システムにある。
【００１０】
かかる第１の態様では、決済システムの導入費用や、維持・管理コストを低減させることができる。また、携帯端末のみで決済することができるので、顧客が現金を持ち歩く必要がなく、顧客の防犯性を向上させることができる。
【００１１】
さらに、顧客が携帯する携帯端末で決済手続が行われるので、顧客が店舗を出る時に決済手続が完了していなかったとしても、その後に決済手続を行うことができる。その結果、料金の支払い忘れや、食い逃げまたは万引き等を防止することができる。
【００１２】
本発明の第２の態様は、顧客に所持される携帯端末と、各店舗が提供するサービスまたは販売する商品に関するサービス等情報が格納されたサービス等データベースとサービス等データベースから顧客がいる店舗のサービス等データを抽出するサービス等情報抽出手段とを有するサービス等情報サーバと、各店舗内にある店舗内端末と、決済機能を有する決済手段と、がネットワークを介して接続された決済システムであって、携帯端末は、顧客がいる店舗の店舗データをサービス等情報サーバに送信し、サービス等情報サーバから送信されたサービス等情報を表示すると共に、サービス等情報のうち、顧客が指定した特定サービス等情報を店舗内端末に送信し、店舗内端末から送信された、顧客への特定サービス等情報に対応するサービスの提供または商品の譲渡が完了したことを示す完了データに基づき、特定サービス等情報を決済サーバおよびサービス等情報サーバに送信し、サービス等情報サーバは、顧客が受けたサービスまたは購入した商品に関する顧客履歴情報を有し、携帯端末から送信された店舗データに基づき、店舗データに対応する店舗のサービス等情報をサービス等データベースから抽出して、携帯端末に送信し、携帯端末から送信された特定サービス等情報を顧客履歴情報に追加し、店舗情報端末は、携帯端末から送信された特定サービス等情報を表示すると共に、店舗の従業員または顧客により入力された完了データを携帯端末に送信し、決済手段は、携帯端末から送信された特定サービス等情報に基づいて決済を行う、ことを特徴とする決済システムにある。
【００１３】
かかる第２の態様では、決済システムの導入費用や、維持・管理コストを低減させることができる。また、携帯端末のみで決済することができるので、顧客が現金を持ち歩く必要がなく、顧客の防犯性を向上させることができる。
【００１４】
さらに、顧客が携帯する携帯端末で決済手続が行われるので、顧客が店舗を出る時に決済手続が完了していなかったとしても、その後に決済手続を行うことができる。その結果、料金の支払い忘れや、食い逃げまたは万引き等を防止することができる。
【００１５】
本発明の第３の態様は、顧客に所持される携帯端末と、各店舗が提供するサービスまたは販売する商品に関するサービス等情報が格納されたサービス等データベースとサービス等データベースから顧客がいる店舗のサービス等データを抽出するサービス等情報抽出手段とを有するサービス等情報サーバと、各店舗内にある店舗内端末と、決済機能を有する決済手段と、がネットワークを介して接続された決済システムであって、携帯端末は、顧客がいる店舗の店舗データをサービス等情報サーバに送信し、サービス等情報サーバから送信されたサービス等情報を表示すると共に、サービス等情報のうち、顧客が指定した特定サービス等情報を店舗内端末に送信し、店舗内端末から送信された、顧客への特定サービス等情報に対応するサービスの提供または商品の譲渡が完了したことを示す完了データに基づき、特定サービス等情報を決済サーバに送信し、サービス等情報サーバは、携帯端末から送信された店舗データに基づき、店舗データに対応する店舗のサービス等情報をサービス等データベースから抽出して、携帯端末に送信し、店舗情報端末は、携帯端末から送信された特定サービス等情報を表示すると共に、店舗の従業員または顧客により入力された完了データを携帯端末に送信し、決済手段は、顧客が受けたサービスまたは購入した商品に関する顧客履歴情報を有し、携帯端末から送信された特定サービス等情報に基づいて決済を行うと共に、特定サービス等情報を顧客履歴情報に追加する、ことを特徴とする決済システムにある。
【００１６】
かかる第３の態様では、決済システムの導入費用や、維持・管理コストを低減させることができる。また、携帯端末のみで決済することができるので、顧客が現金を持ち歩く必要がなく、顧客の防犯性を向上させることができる。
【００１７】
さらに、顧客が携帯する携帯端末で決済手続が行われるので、顧客が店舗を出る時に決済手続が完了していなかったとしても、その後に決済手続を行うことができる。その結果、料金の支払い忘れや、食い逃げまたは万引き等を防止することができる。
【００１８】
本発明の第４の態様は、携帯端末は、少なくとも顧客が使用する言語情報を含む顧客の個人情報をさらに有し、言語情報に基づいて、携帯端末に表示されるサービス等情報の表現が変更されることを特徴とする第１〜第３の態様の何れかに記載の決済システムにある。
【００１９】
かかる第４の態様では、サービス等情報が知らない言語で表示されていても、顧客が使っている言語に自動的に変換されるので、容易に注文・決済することができる。
【００２０】
本発明の第５の態様は、サービス等データベースには、店舗に関する店舗情報がさらに格納され、携帯端末は、携帯端末の位置情報と、顧客履歴情報に基づいて店舗情報を情報処理する選別手段とをさらに有し、位置情報をサービス等情報サーバに送信し、サービス等情報サーバから送信された店舗情報を、選別手段を用いて情報処理した後で表示し、サービス等情報サーバは、位置情報に基づいてサービス等データベースから店舗情報を抽出する店舗抽出手段をさらに有し、店舗抽出手段を用いて、携帯端末から送信された位置情報に基づいて店舗情報を抽出すると共に、店舗情報を携帯端末に送信することを特徴とする第１〜第４の態様の何れかに記載の決済システムにある。
【００２１】
かかる第５の態様では、顧客履歴情報を活用して、顧客の嗜好や好みの傾向に応じて適切な店舗情報を表示することができる。また、店舗情報を提供する店舗側にとっても、顧客の要望に合わせて店舗情報を表示させることができるので、来店する可能性の高い顧客に対して効率的な宣伝を行うことができる。
【００２２】
本発明の第６の態様は、サービス等データベースには、店舗に関する店舗情報がさらに格納され、携帯端末は、携帯端末の位置情報をさらに有し、位置情報をサービス等情報サーバに送信し、サービス等情報サーバから送信された店舗情報を表示し、サービス等情報サーバは、顧客履歴情報に基づいて店舗情報を情報処理する選別手段と、位置情報に基づいてサービス等データベースから店舗情報を抽出する店舗抽出手段とをさらに有し、店舗抽出手段を用いて、位置情報に基づき、サービス等データベースから店舗情報を抽出した後に、選別手段を用いて情報処理された店舗情報を携帯端末に送信することを特徴とする第１〜第４の何れかに記載の決済システムにある。
【００２３】
かかる第６の態様では、顧客履歴情報を活用して、顧客の嗜好や好みの傾向に応じて、より適切な店舗情報を表示することができる。また、店舗情報を提供する店舗側にとっても、顧客の要望に合わせて店舗情報を表示させることができるので、来店する可能性の高い顧客に対して、より効率的な宣伝を行うことができる。
【００２４】
本発明の第７の態様は、携帯端末は、顧客から入力された店舗条件を位置情報と共にサービス等情報サーバに送信し、店舗抽出手段は、位置情報および店舗条件に基づいて、サービス等データベースから店舗情報を抽出することを特徴とする第５または第６に記載の決済システムにある。
【００２５】
かかる第７の態様では、顧客の嗜好や好みの傾向により合った、より適切な店舗情報を表示することができる。
【００２６】
本発明の第８の態様は、携帯端末は、入力された店舗に関するリクエスト情報および携帯端末に入力されたメッセージ情報をサービス等情報サーバに送信すると共に、店舗内端末に入力されたメッセージ情報を表示し、サービス等情報サーバは、リクエスト情報を各店舗内端末に送信するリクエスト送信手段と、リクエスト情報に対してメッセージ情報を送信した店舗内端末と、携帯端末との間で、メッセージ情報の送受信を行うメッセージ交換手段とをさらに有し、店舗内端末は、リクエスト情報および携帯端末に入力されたメッセージ情報を表示すると共に、入力されたメッセージ情報をサービス等情報サーバに送信することを特徴とする第１〜第４の何れかに記載の決済システムにある。
【００２７】
かかる第８の態様では、顧客と店舗の従業員との間で、顧客が店舗に行く前に話し合いや条件交渉等を行うことができる。
【００２８】
本発明の第９の態様は、リクエスト情報は、地域情報を含み、リクエスト送信手段は、地域情報に関連する店舗内端末にのみ、リクエスト情報を送信することを特徴とする第８の態様に記載の決済システムにある。
【００２９】
かかる第９の態様では、地域情報に関連する店舗内端末だけにリクエスト情報を送信することができるので、顧客がいる地域ではない地域において、顧客が店舗に行く前に話し合いや条件交渉等を行うことができる。
【００３０】
本発明の第１０の態様は、サービス等情報サーバは、各店舗が定めたリクエスト情報通知条件をさらに有し、リクエスト送信手段は、リクエスト情報がリクエスト情報通知条件を満たす店舗の店舗内端末にのみ、リクエスト情報を送信することを特徴とする第８の態様に記載の決済システムにある。
【００３１】
かかる第１０の態様では、各店舗が予め定めたリクエスト情報通知条件を満たした場合にのみ、その店舗の店舗内端末にリクエスト情報が送信されるので、顧客が店舗に行く前に話し合いや条件交渉等をより効率的に行うことができる。
【００３２】
本発明の第１１の態様は、決済サーバは、携帯端末からの特定サービス等情報を受信したにもかかわらず、決済が完了していない場合に、未決済情報を携帯端末に送信し、携帯端末は、未決済情報を表示することを特徴とする第１〜第１０の何れかに記載の決済システムにある。
【００３３】
かかる第１１の態様では、料金の支払い忘れや、食い逃げや万引き等をより確実に防止することができる。
【００３４】
本発明の第１２の態様は、サービス等情報および特定サービス等情報には、店舗内でサービスを提供する場所または店舗内に陳列してある商品の場所に関するサービス等位置情報が含まれ、携帯端末は、顧客が特定サービス等情報を指定した後に、特定サービス等情報に含まれるサービス等位置情報を表示することを特徴とする第１〜第１１の態様の何れかに記載の決済システムにある。
【００３５】
かかる第１２の態様では、携帯端末に、サービスの提供場所や商品の陳列場所の情報を表示できるので、顧客は迷うことなく、サービスの提供場所や商品の陳列場所に容易に行くことができる。
【００３６】
本発明の第１３の態様は、サービス等情報および特定サービス等情報には、店舗内でサービスを提供する場所または店舗内のレイアウト情報および店舗内に陳列してある商品の場所に関するサービス等位置情報が含まれ、携帯端末は、顧客が特定サービス等情報を指定した後に、携帯端末の位置情報、サービス等位置情報およびレイアウト情報に基づき、携帯端末の位置からサービス等位置情報までの経路を表示することを特徴とする第１〜第１１の態様の何れかに記載の決済システムにある。
【００３７】
かかる第１３の態様では、携帯端末に、現在位置からサービスの提供場所または商品の陳列場所の経路を表示させることができるので、顧客は迷うことなく、サービスの提供場所や商品の陳列場所により容易に行くことができる。
【００３８】
本発明の第１４の態様は、店舗がレストランであり、サービス等情報が、料理のメニューであることを特徴とする第１〜第１３の何れかに記載の決済システムにある。
【００３９】
かかる第１４の態様では、レストランでの注文・決済を容易に行うことができる。
【図面の簡単な説明】
【００４０】
【図１】図１は、実施形態１に係る決済システムの概略図である。
【図２】図２は、実施形態１に係る決済システムの動作を示すフローチャートである。
【図３】図３は、実施形態２に係る決済システムの概略図である。
【図４】図４は、実施形態２に係る決済システムの動作を示すフローチャートである。
【図５】図５は、実施形態４に係る決済システムの概略図である。
【図６】図６は、実施形態４に係る決済システムの動作を示すフローチャートである。
【発明を実施するための形態】
【００４１】
以下に添付図面を参照して、本発明に係る決済システムの実施形態を説明する。なお、本発明は、以下の実施形態に限定されるものではない。
（実施形態１）
【００４２】
図１に、店舗をレストランとした場合の本実施形態に係る決済システムの概略図を示す。図１に示すように、決済システム１は、顧客が携帯する携帯端末１０と、サービス等情報サーバ２０と、複数の店舗にそれぞれ設置された店舗内端末３０と、決済手段４０とで構成されており、これらはネットワーク５０を介してそれぞれ接続されている。
【００４３】
まず、携帯端末１０について説明する。携帯端末１０は、店舗のメニュー等を表示できる表示部１１と、情報を入力することができる入力部１２と、顧客が使用する言語情報が含まれる個人情報１３と、顧客が以前食した料理に関する情報を含む顧客履歴情報１４とを有している。
【００４４】
表示部１１としては、店舗のメニュー等を表示できるものであれば特に限定されず、例えば液晶パネルであってもよい。入力部１２も情報を入力することができるものであれば特に限定されず、例えばキーボードやタッチパネルであってもよく、表示部１１と兼ねてもよい。
【００４５】
個人情報１３は、顧客に関する情報であれば特に限定されず、例えば年齢、性別、通常使用する言語等であり、携帯端末１０のメモリ（記憶領域）等に記録される。
【００４６】
また、顧客履歴情報１４は、少なくとも顧客が以前食した料理に関する情報であり、例えば、日本料理やフランス料理等の店舗が提供する料理のカテゴリー、カレーライスなどの料理名、その料理の総カロリー、料理を食べた日時、料理の価格、料理を提供した店舗の位置情報、クーポン等の割引サービス利用の有無、利用した割引サービスの種類、一回の食事で支払った金額、一緒に来店した人数等であり、個人情報１３と同様に携帯端末１０のメモリ（記憶領域）等に記録される。
【００４７】
携帯端末１０としては、このような機能を有するものであれば特に限定されず、例えばスマートフォン、スマートフォン以外の携帯電話やタブレット型コンピュータ等が挙げられる。
【００４８】
次に、サービス等情報サーバ２０について説明する。サービス等情報サーバ２０は、各店舗のメニュー等のサービス等情報２１１が格納されたサービス等データベース２１と、サービス等情報抽出手段２２とを有している。
【００４９】
サービス等情報２１１としては、店舗で提供される料理に関する情報であれば特に限定されず、例えば料理の名前、その料理に含まれる栄養素（エネルギー、タンパク質、脂質、炭水化物、無機質、ビタミン、食塩等）、アレルギーの原因となる物質（乳・卵・小麦・そば・落花生・えび・かに等）およびそれらの含有量（栄養価）、料理の価格等である。
【００５０】
サービス等データベース２１およびサービス等情報抽出手段２２は、サービス等情報２１１を格納することができ、かつ後述する店舗データに基づいて、その店舗データに対応する店舗のサービス等情報２１１を抽出することができるものであれば特に限定されず、例えば市販されているデータベースマネジメントシステム（ＤＢＭＳ）等が挙げられる。
【００５１】
サービス等情報サーバ２０としては、このような機能を有するものであれば特に限定されず、例えばパーソナルコンピュータ等が挙げられる。
【００５２】
さらに、店舗内端末３０について説明する。店舗内端末３０は、店舗内に設置（配置）され、携帯端末１０と同様に店舗内端末表示部３１と店舗内端末入力部３２とを有している。ここで、店舗とは、それぞれが独立している店舗であってもよいし、デパートのような施設の場合には、各フロアを一つの店舗としてもよく、適宜設定することができる。
【００５３】
店舗内端末表示部３１と店舗内端末入力部３２とは、上述した携帯端末１０の表示部１１と入力部１２と同様の機能を有するものであれば特に限定されない。また、店舗内端末３０としては、店舗内に設置（配置）されるものでこのような機能を備えたものであれば特に限定されず、例えば専用端末でもよいし、スマートフォンやタブレット型コンピュータ等であってもよい。なお、店舗内端末３０は、同一店舗内に複数設置（配置）されていてもよい。
【００５４】
決済手段４０は、店舗で提供された料理の料金を決済することができるものであれば特に限定されず、例えばクレジットカード会社や銀行の決済機能、仮想通貨による決済機能、企業が独自に発行するポイントによる決済機能および携帯電話会社によって提供される独自の決済機能等が挙げられる。なお、決済手段４０は複数存在していてもよい。
【００５５】
ネットワーク５０は、携帯端末１０等を接続することができるものであれば特に限定されず（有線・無線を問わない）、例えばインターネット等が挙げられる。
【００５６】
次に、決済システム１の動作について説明する。図２は、本実施形態に係る決済システム１の動作フローチャートである。
【００５７】
まず、携帯端末１０に店舗データが入力されると（Ｓ１）、その店舗データはサービス等情報サーバ２０に送信される。ここで店舗データは、顧客がいる店舗を特定することができる情報であれば特に限定されない。店舗データとしては、例えば店舗に付与された特定の番号でもよいし、住所、バーコードやＱＲコード（登録商標）のようなマトリクス型二次元コードでもよく、さらには、グローバル・ポジショニング・システム（ＧＰＳ）やＷｉＦｉ（登録商標）のルータ等により得られる位置情報であってもよい。なお、特定の番号は入力部１２であるタッチパネル等により入力され、バーコードやマトリクス型二次元コードは携帯端末１０に備えられたカメラ等で撮影することにより入力され、位置情報は携帯端末１０に備えられたＧＰＳ受信機能等により入力される。
【００５８】
店舗データを受信したサービス等情報サーバ２０は、サービス等情報抽出手段２２により、その店舗データに対応する店舗のメニュー等のサービス等情報２１１をサービス等データベース２１から抽出し（Ｓ２）、携帯端末１０に送信する。
【００５９】
サービス等情報２１１を受信すると、携帯端末１０は、そのサービス等情報２１１を表示部１１に表示する（Ｓ３）。この時に、顧客履歴情報１４に基づいて、顧客の嗜好にあった料理を上位に表示させるようにしてもよく、個人情報１３に含まれる言語情報に基づいて、メニュー情報の表示を顧客が通常使用している言語に変更してもよい。
【００６０】
そして、そのサービス等情報２１１を見た顧客は、食したい料理（特定サービス等情報）を指定（入力）する（Ｓ４）。すると、その特定サービス等情報が店舗内端末３０に送信され、店舗内端末３０の店舗内端末表示部３１に表示される。
【００６１】
その特定サービス等情報を見た店舗の従業員は、その特定サービス等情報が示す料理を作る。そして、その料理を顧客に提供すると、従業員は店舗内端末３０に特定サービス等情報が示す料理を提供したことを示す完了データを入力する（Ｓ６）。
【００６２】
入力された完了データは、携帯端末１０に送信される。そして、完了データを受信した携帯端末１０は、その特定サービス等情報を決済手段４０に送信する。特定サービス等情報を受信した決済手段４０は、その料理提供に対する決済を行う（Ｓ７）。その後、携帯端末１０は、顧客履歴情報１４にその特定サービス等情報を追加する（Ｓ８）。
【００６３】
なお、携帯端末１０から決済手段４０への特定サービス等情報の送信と、顧客履歴情報１４への特定サービス等情報の追加は、同時に行われてもよいし、顧客履歴情報１４への特定サービス等情報の追加が完了した後で、携帯端末１０から決済手段４０への特定サービス等情報の送信が行われてもよい。
【００６４】
このように決済システム１を構成することにより、携帯端末１０のみで提供された料理の決済を行うことができるので、顧客が現金を持ち歩く必要がなく、顧客の防犯性を向上させることができる。
【００６５】
また、この決済システム１は、新たな設備をほとんど必要としないので、従来の決済システムと比較して、導入費用や、維持・管理コストを低く抑えることができる。
【００６６】
さらに、顧客が携帯する携帯端末１０で決済手続が行われるので、顧客が店舗を出る時に決済手続が完了していなかったとしても、その後に決済手続を行うことができる。その結果、料金の支払い忘れや、食い逃げ等を防止することができる。
【００６７】
なお、決済手続が完了していない場合には、決済手段４０から、決済が完了していないことを示す未決済情報を携帯端末１０に送信し、携帯端末１０に決済が完了していないことを表示させるようにしてもよい。このようにすることにより、料金の支払い忘れや、食い逃げ等をより確実に防止することができる。
【００６８】
また、決済システム１では、個人情報に基づいて、携帯端末１０に表示するメニュー等の表示を変更することができるので、顧客が変更される前の言語を知らなくても、希望の料理を容易に注文・決済することができる。
【００６９】
そして、顧客が使用している携帯端末１０に、その店舗が提供するメニューを表示させることができるので、料理選択の時間を短縮させることができる。また、過去に摂取した栄養価等を携帯端末１０に表示させることができるので、栄養価の偏り等を顧客に注意喚起させることができる。さらに、過去に摂取した料理の履歴を携帯端末１０に表示させることができるので、顧客は外食の頻度や外食に要した費用等を容易に把握することができる。その結果、これらの情報を家計の支出の抑制・適正化に役立てることができる。
【００７０】
なお、本実施形態では、携帯端末１０が顧客履歴情報１４を有するように決済システム１を構成したが、本発明はこれに限定されない。例えば、サービス等情報サーバが顧客履歴情報を有するように決済システムを構成してもよいし、決済手段が顧客履歴情報を有するように決済システムを構成してもよい。
【００７１】
さらには、携帯端末、サービス等情報サーバおよび決済手段が顧客履歴情報をそれぞれ有するように決済システムを構成してもよいし、これらのうちの２つが顧客履歴情報をそれぞれ有するように決済システムを構成してもよい。
【００７２】
このように構成しても、本実施形態に係る決済システムと同様の効果に加え、複数の機器内に顧客履歴情報が格納されることになるので、何らかの理由による顧客履歴情報の喪失を防止することができる。なお、サービス等情報サーバが顧客履歴情報を有するように決済システムを構成した場合には、完了データを受信した携帯端末が特定サービス等情報をサービス等情報サーバにも送信しなければならないことは言うまでもない。
（実施形態２）
【００７３】
実施形態１では、本発明の最も基本的な構成について説明したが、本発明はこれに限定されない。例えば、図３に示すように、携帯端末１０Ａは現在の携帯端末１０Ａの位置情報１５と選別手段１６とをさらに有し、サービス等情報サーバ２０Ａが、店舗の位置情報等の店舗情報２１２をさらに格納するサービス等データベース２１Ａと店舗抽出手段２３とをさらに有するように決済システム１Ａを構成してもよい。
【００７４】
ここで、位置情報１５とは、携帯端末１０の位置を特定できる情報であれば特に限定されず、例えばＧＰＳ（グローバル・ポジショニング・システム）により得られる位置情報でもよいし、周囲のＷｉＦｉ（登録商標）のアクセスポイントから得られる位置情報であってもよい。
【００７５】
また、選別手段１６とは、顧客履歴情報１４に基づき、詳細は後述するが、サービス等データベース２１Ａから送信されてきた店舗情報の順番（優先順位）を変更したり、送信されてきた店舗情報のいくつかを削除したりする等の情報処理をするものをいい、具体的には人工知能（ＡＩ）等を用いて、このような情報処理を行うプログラム等が挙げられる。
【００７６】
なお、顧客履歴情報１４に基づき、どのような店舗情報を上位に表示するか、またはどのような店舗情報を削除するかは、適宜設定することができる。例えば、ＡＩが、顧客履歴情報１４に基づいて、顧客が日本食を食べることが多いと判断した場合（顧客の好みが日本食であると判断した場合）には、日本食を提供する店舗を上位に位置するように順番を変更したり、日本食を提供する店舗以外の店舗情報を削除するようにしてもよい。また、この際に、割引クーポン等を提供している店舗をより上位に表示させるようにしてもよい。
【００７７】
さらに、店舗情報２１２とは、少なくとも店舗の位置情報を含み、その他に店舗の名称、日本料理やフランス料理等の店舗が提供する料理のカテゴリー、店舗の評判、店舗へのコメント、店舗での食事の平均単価、混んでいる時間帯、割引クーポン、店舗の画像や映像等を含むものである。
【００７８】
そして、店舗抽出手段２３とは、携帯端末１０Ａから送信された位置情報１５と店舗の位置情報（店舗情報２１２）に基づいて、所定の条件を満たす店舗の店舗情報２１２を抽出することができるものであれば特に限定されず、サービス等情報抽出手段２２と同様に、例えば市販されているデータベースマネジメントシステム（ＤＢＭＳ）等で実現することができる。
【００７９】
ここで、所定の条件（店舗条件）は特に限定されず、予め定められていてもよいし、顧客が設定できるようにしてもよく、具体的には、例えば携帯端末１０Ａから半径３００ｍ内に存在する店舗という条件等が挙げられる。なお、その他の構成については、実施形態１の決済システムと同様である。
【００８０】
次に、図４を参照して、本実施形態に係る決済システム１Ａの動作について説明する。図４は、本実施形態に係る決済システム１Ａの動作を示すフローチャートである。ここで、店舗データが携帯端末１０Ａに入力された以降の動作については、実施形態１に係る決済システム１の動作と同様であるので、それ以前の動作について説明する。
【００８１】
まず、顧客が今いる地点から近いレストランを調べようとすると、携帯端末１０Ａからサービス等情報サーバ２０Ａに、位置情報１５が送信される（ｓ１）。
【００８２】
その位置情報１５を受信したサービス等情報サーバ２０Ａは、その位置情報１５に基づき、店舗抽出手段２３によって所定の条件を満たす店舗の店舗情報２１２を抽出し（ｓ２）、携帯端末１０Ａに送信する（ｓ３）。
【００８３】
そして、携帯端末１０Ａは、選別手段１６により、送信されてきた店舗情報２１２の順番変更等の情報操作を行う（ｓ４）。その後、情報処理された後の店舗情報２１２を表示部１１に表示する（ｓ５）。なお、表示された店舗情報２１２を選択すると、それが実施形態１における店舗データとなる。
【００８４】
このように決済システム１Ａを構成することにより、上述した実施形態１の決済システムと同様の効果に加え、顧客履歴情報１４を活用して、顧客の料理や商品の好み等に応じて最適な店舗情報２１２を表示させることができる。一方、店舗情報２１２を提供する店舗側にとっても、顧客の嗜好に合わせて店舗情報２１２を携帯端末１０Ａに表示させることができるので、来店する可能性の高い顧客に対して効率的な宣伝を行うことができる。
【００８５】
なお、本実施形態では、選別手段１６により、送信されてきた店舗情報２１２の順番変更等の情報操作を行うようにしたが、この情報操作を行わなくてもよい。ただし、この場合には、店舗の宣伝効率等が低下するのは言うまでもない。
（実施形態３）
【００８６】
実施形態２では、携帯端末の位置情報を用いて店舗情報を抽出するようにしたが、本発明はこれに限定されない。
【００８７】
例えば、サービス等情報および特定サービス等情報に、店舗内でサービスを提供する場所または店舗内に陳列してある商品の場所に関するサービス等位置情報や各店舗内のレイアウト情報が含まれ、顧客が特定サービス等情報を指定した後に、そのサービス等位置情報や、顧客がいる場所（携帯端末の位置）から特定サービス等情報内のサービス等位置情報が示す場所までの経路を、携帯端末に表示させるようにしてもよい。
【００８８】
ここで、「サービス等位置情報」とは、店舗内でサービスを提供する場所または店舗内に陳列してある商品の場所に関する情報であれば特に限定されず、例えばサービスカウンターの位置を示す文章であってもよいし、商品が陳列されている什器の管理番号等であってもよい。また、「レイアウト情報」とは、店舗内のレイアウト（配置・配列）に関する情報であれば特に限定されず、例えば模式図化された店舗内の配置図であってもよい。
【００８９】
さらに、「携帯端末に表示される経路」は目的の場所まで顧客を誘導できるものであれば特に限定されず、例えば店舗内のレイアウトと共に、携帯端末の表示部に歩行経路が直線等で表示されるようにしてもよいし、携帯端末から出力される音声で誘導するようにしてもよい。
【００９０】
なお、店舗内での携帯端末の位置については、例えば店舗内に複数配置されたＷｉＦｉ（登録商標）のルータ等から得ることができる。
【００９１】
本実施形態の決済システムでは、このように、携帯端末に、サービスの提供場所や商品の陳列場所の情報を表示させることができるので、顧客は迷うことなく、サービスの提供場所や商品の陳列場所に容易に行くことができる。
【００９２】
また、携帯端末に、現在位置からサービスの提供場所または商品の陳列場所の経路を表示させることができるので、顧客は迷うことなく、サービスの提供場所や商品の陳列場所により容易に行くことができる。
（実施形態４）
【００９３】
上述した実施形態では、顧客と店舗の従業員との間でコミュニケーションをとることなく決済できるようにしたが、本発明はこれに限定されない。例えば、図５に示すように、サービス等情報サーバ２０Ｂに、リクエスト送信手段２５と、メッセージ交換手段２６とをさらに有するように決済システム１Ｂを構成してもよい。なお、その他の構成は、実施形態１に係る決済システムと同様である。
【００９４】
リクエスト送信手段２５とは、携帯端末１０に入力されたリクエスト情報を店舗内端末３０に送信することができるものであれば特に限定されず、例えばそのような機能を有するプログラム等が挙げられる。
【００９５】
ここで、リクエスト情報は、顧客が希望する店舗に関する情報であれば特に限定されず、例えば、地域名、住所、駅名、郵便番号、美容院やレストラン等の業種、提供されるサービスの料金等が挙げられる。なお、リクエスト情報に、地域名、住所、駅名等の地域情報が含まれている場合には、リクエスト送信手段２５は、その地域内およびその地域に隣接する地域等にある店舗の店舗内端末にのみリクエスト情報を送信するようにしてもよい。地域情報としては、上述したもの以外であっても地域を特定することができる情報であれば特に限定されない。
【００９６】
また、メッセージ交換手段２６は、リクエスト情報に対してメッセージ情報を送信した店舗内端末３０と、携帯端末１０との間で、メッセージ情報の送受信を行うことができるものであれば特に限定されず、具体的にはそのような機能を有するプログラム等が挙げられる。
【００９７】
なお、メッセージ交換手段２６は、携帯端末１０が１つの店舗内端末３０との間でしかメッセージ情報を送受信できないようにしてもよいし、携帯端末１０と店舗内端末３０Ａ、および携帯端末１０と店舗内端末３０Ｂ等のように、携帯端末１０と複数の店舗内端末との間でメッセージ情報をそれぞれ送受信できるようにしてもよい。この際に、店舗内端末３０Ｂの表示部に、携帯端末１０と店舗内端末３０Ａとの間のメッセージ情報が表示されないようになっているのは言うまでもない。
【００９８】
また、本実施形態では、店舗内端末３０とその店舗内端末３０が置かれた店舗の店舗データとは関係づけられており、店舗内端末３０に入力されたメッセージ情報等から店舗データを抽出（取得）することができるようになっている。具体的には、例えば、店舗内端末３０に入力されたメッセージ情報に、その店舗内端末３０が置かれている店舗の店舗データを追加して携帯端末１０に送信するという方法等が挙げられる。
【００９９】
ここで、メッセージ情報とは、リクエスト情報に対応して店舗内端末３０に入力された情報や、店舗内端末３０から送信されたメッセージに対応して携帯端末１０に入力された情報等である。具体的には、メッセージ情報としては、例えば「Ａ駅近辺にあり、中華料理を１，０００円で提供してくれるレストラン」いうリクエスト情報に対して、ある店舗内端末３０に入力された「中華丼を９００円で提供する」という情報や、この「中華丼を９００円で提供する」という情報に対して、携帯端末１０に入力された「もっと安くならないか？」という情報等である。
【０１００】
次に、決済システム１Ｂの動作について説明する。図６は、本実施形態に係る決済システム１Ｂの動作フローチャートである。ここで、後述するように、店舗データが携帯端末１０に入力された以降の動作については、実施形態１に係る決済システム１の動作と同様であるので、それ以前の動作について説明する。
【０１０１】
まず、リクエスト情報が携帯端末１０に入力されると（ＳＳ１）、リクエスト送信手段２５によって各店舗内端末３０にそのリクエスト情報が送信され、各店舗内端末３０の店舗内端末表示部３１にリクエスト情報がそれぞれ表示される（ＳＳ２）。
【０１０２】
すると、そのリクエスト情報を見た各店舗の従業員のうち、そのリクエストに対応できると考えた店舗Ａの従業員は、そのリクエス情報に対するメッセージ情報Ｍ１をその店舗内端末入力部３２に入力する（ＳＳ３）。
【０１０３】
その入力されたメッセージ情報Ｍ１は、メッセージ交換手段２６により、携帯端末１０に送信され、携帯端末１０の表示部１１に表示される（ＳＳ４）。
【０１０４】
そのメッセージ情報Ｍ１を見た顧客は、さらに店舗Ａの従業員に尋ねたいことがあった場合には、携帯端末１０の入力部１２に新たなメッセージ情報Ｍ２を入力する（ＳＳ５）。そのメッセージ情報Ｍ２は、メッセージ交換手段２６により、同様にして店舗内端末３０Ａの店舗内端末表示部３１に表示される（ＳＳ６）。このようなメッセージ交換が、顧客と店舗Ａの従業員との間で何らかの合意が得られるか、または合意が得られないことが明らかになるまで続けられる（ＳＳ７）。
【０１０５】
そして、合意が得られない場合には、メッセージ情報のやり取りは終了し、新たなリクエスト情報が入力されて再度同様の動作が行われる。一方、合意が得られた場合には、その店舗内端末３０Ａの置かれた店舗Ａの店舗データが、実施形態１の店舗データとなり、顧客が店舗Ａに行った後は、実施形態１に係る決済システムと同様の動作が行われる（ＳＳ８）。
【０１０６】
このように決済システム１Ｂを構成することにより、実施形態１の決済システムの効果に加え、顧客と店舗の従業員との間で、顧客が店舗に行く前に話し合いや条件交渉等（例えばすぐにサービスを受けることができるのかという質問や、値引き交渉等）を行うことができる。
（実施形態５）
【０１０７】
実施形態４の決済システムでは、リクエスト情報に含まれた地域情報に基づいてリクエスト情報を送信するようにしたが、本発明はこれに限定されない。例えば、サービス等データベースに、各店舗が定めたリクエスト情報通知条件を格納しておき、リクエスト送信手段はリクエスト情報がリクエスト情報通知条件を満たした場合にのみ、そのリクエスト情報通知条件を定めた店舗の店舗内端末にリクエスト情報を送信するようにしてもよい。
【０１０８】
ここで、リクエスト情報通知条件とは、リクエスト情報を店舗に通知するか否かを判断するための条件であれば特に限定されない。リクエスト情報通知条件としては、例えば商品およびその価格、サービス内容およびその価格、業種、地域、住所、駅名等が挙げられる。なお、通知条件には、「通知条件を定めない（入力しない）」ことも含まれる。
【０１０９】
このように決済システムを構成することにより、各店舗が定めたリクエスト情報通知条件を満たした場合にのみ、その店舗の店舗内端末にリクエスト情報が送信されるので、顧客が店舗に行く前に話し合いや条件交渉等をより効率的に行うことができる。
【０１１０】
なお、本実施形態では、リクエスト情報通知条件は、サービス等データベースに格納されるようにしたが、サービス等情報サーバ内に存在するのであればその保持方法は特に限定されない。
（他の実施形態）
【０１１１】
実施形態２の決済システムでは、携帯端末が、顧客履歴情報、位置情報および選別手段を有するように構成したが、本発明はこれに限定されない。例えば、サービス等情報サーバが顧客履歴情報および選別手段を有するように決済システムを構成してもよい。
【０１１２】
このように構成することにより、サービス等情報サーバが、携帯端末から送信された携帯端末の位置情報を用いて、実施形態２で説明した情報処理と同様の処理までを行い、情報処理された後の店舗情報を携帯端末に送信することで、実施形態２と同様の効果が得られる。
【０１１３】
また、上述した実施形態では、サービス等データベースに、サービス等情報と店舗情報とが格納されるようにしたが、これらを別のデータベースに格納したとしても、それらのデータベースは、サービス等データベースの概念に含まれることは明らかである。
【０１１４】
さらに、実施形態１では、店舗の従業員により完了データが入力されるようになっていたが、本発明はこれに限定されない。
【０１１５】
例えば、顧客が完了データを入力するようにしてもよい。具体的には、商品のパッケージ等に記載されたバーコード等のサービスや商品を特定する情報を携帯端末に入力することにより、完了データが入力されるようにしてもよい。ここで、サービスや商品を特定する情報は特に限定されず、例えばサービス名、商品名、商品のパッケージに記載されているバーコードやマトリクス型二次元コード等が挙げられる。
【０１１６】
このように、顧客によって完了データが入力されても実施形態１の決済システムと同様の効果が得られる。
【０１１７】
また、実施形態１では、店舗をレストランとした場合のサービス提供用の決済システムを説明したが、本発明は、商品販売用の決済システムとしても利用することができる。
【０１１８】
この場合には、上述したサービス等情報や特定サービス等情報等の情報は、商品に関する情報になるのは言うまでもない。例えば、サービス等情報は、商品の名前、その商品に含まれる栄養素（エネルギー、タンパク質、脂質、炭水化物、無機質、ビタミン、食塩等）、アレルギーの原因となる物質（乳・卵・小麦・そば・落花生・えび・かに等）およびそれらの含有量（栄養価）、商品の価格等である。これらは、店舗が取り扱うサービス、商品に応じて適宜設定することができる。
【符号の説明】
【０１１９】
１、１Ａ、１Ｂ    決済システム
１０、１０Ａ  携帯端末
１１  表示部
１２  入力部
１３  個人情報
１４  顧客履歴情報
１５  位置情報
１６  選別手段
２０、２０Ａ、２０Ｂ  サービス等情報サーバ
２１、２１Ａ  サービス情報等データベース
２１１  サービス等情報
２１２  店舗情報
２２  サービス等情報抽出手段
２３  店舗抽出手段
２５  リクエスト送信手段
２６  メッセージ交換手段
３０  店舗内端末
３１  店舗内端末表示部
３２  店舗内端末入力部
４０  決済手段
５０  ネットワーク
【図１】
2019003634.tif 000003
【図２】
2019003634.tif 000004
【図３】
2019003634.tif 000005
【図４】
2019003634.tif 000006
【図５】
2019003634.tif 000007
【図６】
2019003634.tif 000008